(57)【要約】  【課題】  振動を受けやすい環境下で、振動によりマウスが動いてしまい、スタンバイ状態やスクリーンセーバーの動作状態を保持できなくなることを防止する。  【解決手段】  摩擦係数が大きく、振動を吸収しやすい部材からなるベース部材２に、開口３を形成して、マウス置台１を構成する。ベース部材２は、摩擦係数が大きく、振動を吸収しやすい部材であるので、外部からの振動は、ベース部材２で吸収される。また、ベース部材２上にマウス４を載置したときに、マウス４の動き検出機構の部分が開口３の位置になる。このため、振動によるマウス４の動きが検出されなくなり、振動を受けやすい環境下でも、スタンバイ状態やスクリーンセーバーの動作状態を保持できる。【選択図】      図１
0003102053.tif 000002
【実用新案登録請求の範囲】
【請求項１】
ベース部材と、
前記ベース部材に形成された開口とを有し、
前記ベース部材上にマウスを載置したときに、前記マウスの動き検出機構の部分の位置と前記開口の位置とが対応する
ようにしたことを特徴とするマウス置台。
【請求項２】
前記マウスは、動き検出機構としてボールを用いるものであり、前記マウスの動き検出機構の部分は、前記マウスの底部から突出するボールの部分であることを特徴とする請求項１に記載のマウス置台。
【請求項３】
前記マウスは、動き検出機構として光を用いるものであり、前記マウスの動き検出機構の部分は、前記マウスの底部から光が出射される部分であることを特徴とする請求項１に記載のマウス置台。
【請求項４】
前記ベース部材は、摩擦係数の大きい部材で形成するようにしたことを特徴とする請求項１乃至３に記載のマウス置台。
【請求項５】
前記ベース部材は、衝撃を吸収する部材で形成するようにしたことを特徴とする請求項１乃至３に記載のマウス置台。
【考案の詳細な説明】
【技術分野】
【０００１】
本考案は、コンピュータ入力を行うためのマウスを載置するためのマウス置台に関するもので、特に、コンピュータをスタンバイ状態に設定したときに、振動によりスタンバイ状態が解除されることを防止するようにしたものに関する。
【背景技術】
【０００２】
コンピュータのオペレーティングシステムには、作業を一時停止するときに、スタンバイ状態に設定できるものがある。コンピュータがスタンバイ状態に設定されると、直前のメモリの内容やＣＰＵ(Central Processing Unit)の状態などが保持されたまま、省電力モードになる。スタンバイ状態から通常の使用状態へは、キーボードのキーを押したり、マウスを動かしたりすることにより復帰される。スタンバイ状態に入るときに、直前のメモリの内容やＣＰＵの状態などが保持されるので、スタンバイ状態が解除されると、スタンバイ状態に入る直前の状態から再び作業を開始することができる。
【０００３】
ところが、スタンバイ状態は、上述したように、マウスが動かされることにより解除される。このため、例えば工場内のような振動の多い環境下に設置されたコンピュータでは、スタンバイ状態に設定しておいたとしても、振動によりマウスが移動し、スタンバイ状態が解除されてしまい、スタンバイ状態を長い間保持することが困難である。
【０００４】
また、画面の焼き付けを防ぐために、スクリーンセーバーを設定することがある。スクリーンセーバーは、キーボードのキーを押したり、マウスを動かしたりすることによりオフになる。スクリーンセーバーの場合も、スタンバイ状態の場合と同様に、工場内のような振動の多い生産現場に設置されたコンピュータでは、マウスが振動により動いてしまい、スクリーンセーバーの動作状態を保持することが困難である。
【０００５】
そこで、例えば特許文献１に示されているように、マウスからの入力通知を遮断してしまう機能を付加し、スクリーンセーバーが設定されている間、マウスからの入力によりスクリーンセーバーの動作が終了しないようにすることが提案されている。
【特許文献１】特開２０００−３２２０４１号公報
【考案の開示】
【考案が解決しようとする課題】
【０００６】
しかしながら、特許文献１に示すように、マウスからの入力の通知を遮断してスクリーンセーバーの動作が終了しないようにした場合には、そのための特別なソフトウェアを用意する必要である。そのような特別なソフトウェアを用意することは、コストアップになると共に、インストールする作業が必要になる。また、マウスからの入力の通知を遮断してスクリーンセーバーの動作が終了しないように設定してしまうと、マウスを動かしても通常の使用状態に戻せなくなってしまうという問題が生じる。
【０００７】
本考案は、上述の課題を鑑み、特別なプログラムを必要とせず、振動を受けやすい環境下で、スタンバイ状態やスクリーンセーバーの動作状態を保持できるマウス置台を提供することを目的とする。
【課題を解決するための手段】
【０００８】
本考案に係るマウス置台は、ベース部材と、ベース部材に形成された開口とを有し、ベース部材上にマウスを載置したときに、マウスの動き検出機構の部分の位置と開口の位置とが対応するようにしたことを特徴とする。
【０００９】
好ましくは、マウスは、動き検出機構としてボールを用いるものであり、マウスの動き検出機構の部分は、マウスの底部から突出するボールの部分であることを特徴とする。また、好ましくは、マウスは、動き検出機構として光を用いるものであり、マウスの動き検出機構の部分は、マウスの底部から光が出射される部分であることを特徴とする。
【００１０】
好ましくは、ベース部材は、摩擦係数の大きい部材で形成するようにしたことを特徴とする。また、好ましくは、ベース部材は、衝撃を吸収する部材で形成するようにしたことを特徴とする。
【考案の効果】
【００１１】
本考案に係るマウス置台によれば、ベース部材と、ベース部材に形成された開口とを有し、ベース部材上にマウスを載置したときに、マウスの動き検出機構の部分の位置と開口の位置とが対応するようにしている。このため、振動によるマウスの動きが検出されなくなり、振動を受けやすい環境下でも、スタンバイ状態やスクリーンセーバーの動作状態を保持できる。
【００１２】
本考案に係るマウス置台では、好ましくは、マウスは、動き検出機構としてボールを用いるものであり、マウスの動き検出機構の部分の位置は、マウスの底部から突出するボールの部分である。また、好ましくは、マウスは、動き検出機構として光を用いるものであり、マウスの動き検出機構の部分は、マウスの底部から光が出射される部分である。このため、マウスの種類にかかわらず、振動を受けやすい環境下で、スタンバイ状態やスクリーンセーバーの動作状態を保持できる。
【００１３】
本考案に係るマウス置台では、ベース部材は、摩擦係数の大きい部材で形成するようにしている。また、好ましくは、ベース部材は、衝撃を吸収する部材で形成するようにしている。このため、外部からの振動をベース部材で吸収することができ、振動を受けやすい環境下で、より確実に、スタンバイ状態やスクリーンセーバーの動作状態を保持することができる。
【考案を実施するための最良の形態】
【００１４】
以下、本考案の実施形態について図面を参照しながら説明する。図１は、本考案が適用されたマウス置台１を示すものである。図１において、本考案が適用されたマウス置台１は、ベース部材２に、開口３を形成して構成されている。このようなマウス置台１上に、マウス４が載置される。
【００１５】
ベース部材２としては、摩擦係数が大きく、振動を吸収しやすい部材が用いられる。具体的には、ベース部材２としては、例えばウレタンやゴム、軟質の合成樹脂等が用いられる。その他、ベース部材２としては、摩擦係数が大きく、振動を吸収しやすい部材であれば、どのような部材を用いてもよい。
【００１６】
このようなマウス置台１では、マウス４が載置されると、マウス４の動き検出機構の部分が開口３の位置になる。マウスの動き検出機構は、具体的には、ボール式のマウス４ａなら、マウス４ａの底部から突出するボール２１（図３参照）の部分であり、光学式のマウス４ｂの場合には、マウス４ｂの底部の発光穴２２の部分（図４参照）である。
【００１７】
図２（Ａ）及び図２（Ｂ）は、本考案が適用されたマウス置台１を用いて構築したコンピュータシステムの操作環境の一例を示すものである。図２（Ａ）及び図２（Ｂ）において、机１１上には、コンピュータ本体１２と、ディスプレイ１３と、キーボード１４と、マウス４とが置かれている。また、机１１上には、本考案が適用されたマウス置台１が置かれている。なお、この例では、デスクトップ型のコンピュータとしているが、勿論、ノートブック型のコンピュータであってもよい。
【００１８】
コンピュータの操作を行うときには、ユーザは、図２（Ａ）に示すように、マウス４を机１１上に置き、マウス４を机１１上で動かして、入力操作を行う。なお、マウス４の操作を行う場合には、机１１上にマウスパッドを置き、このマウスパッド上でマウス４を操作するようにしてもよい。
【００１９】
コンピュータ本体１２のオペレーティングシステムとしては、スタンバイ状態に設定できるものが用いられる。コンピュータ本体１２をスタンバイ状態にすると、そのときのメモリの内容やＣＰＵの状態などが保存され、省電力モードになる。スタンバイ状態から通常の状態へは、キーボード１４上の何れかのキーを押すことにより、あるいはマウス４を動かすことにより復帰される。
【００２０】
ユーザは、コンピュータ本体１２の使用を一時的に中断する場合には、コンピュータ本体１２をスタンバイ状態に設定し、図２（Ｂ）に示すように、マウス４をマウス置台１上に載置しておく。マウス置台１のベース部材２は、摩擦係数が大きく、振動の吸収しやすい部材で形成されている。このため、外部からの振動はベース部材２で吸収され、マウス４に伝わり難くなる。また、マウス４をマウス置台１上に載置すると、マウスの動き検出機構の部分の位置に、開口３の位置が来るようになる。このため、振動によるマウス４の動きが検出されなくなり、振動を受けている環境下でも、スタンバイ状態に保持できる。
【００２１】
つまり、ボール式のマウス４ａの場合には、図３（Ａ）に示すように、マウス４ａの底部からボール２１の部分が突出しており、このボール２１が回転することにより、マウス４ａの動きが検出される。このようなボール式のマウス４ａがマウス置台１上に載置されると、図３（Ｂ）に示すように、マウス４ａの底面から突出するボール２１の部分が開口３に入り、ボール２１が机１１上から浮いた状態となる。このため、外部からの振動を受けても、マウス４ａのボール２１が動かなくなり、振動によるマウス４ａの動きが検出されなくなる。
【００２２】
また、光学式のマウス４ｂの場合には、図４（Ａ）に示すように、マウス４ｂの底部に、ＬＥＤ(Light Emitting Diode)等の発光部２３からの光が出力される発光穴２２が設けられている。発光部２３からの光が発光穴２２から出力され、この反射光を検出することで、マウス４ｂの動きが検出される。このような光学式のマウス４ｂをマウス置台１上に載置すると、図４（Ｂ）に示すように、発光穴２２の位置が開口３の位置に来るようになる。このため、発光穴２２が机１１の表面に密着されなくなり、マウス４ｂを動かしても、机１１の表面からの反射光が検出されず、振動によるマウス４ｂの動きが検出されなくなる。
【００２３】
上述の例では、コンピュータ本体１２をスタンバイ状態に設定する場合について説明したが、本考案が適用されたマウス置台１は、スクリーンセーバーを設定する場合にも有効である。スクリーンセーバーは、ディスプレイの焼き付けを防ぐために、画面をミュートしたり、焼き付けを起こさないような動きの激しい画面を表示させたりするものである。マウス４が動かされると、スクリーンセーバーが解除されるため、机１１が振動を受けているような環境下では、スクリーンセーバーを保持させておくことが難しい。マウス４をマウス置台１上に載置しておけば、机１１が振動を受けているような環境下でも、スクリーンセーバーの動作状態を保持させておくことができる。
【００２４】
上述の例では、マウス置台１の開口３を円形としているが、開口３は、円形とする必要はない。開口３は、図５（Ａ）及び図５（Ｂ）に示すように、三角形や四角形としてもよい。マウス置台１の開口３の形状としては、その他、各種のものが考えられる。
【００２５】
また、上述の例では、マウス置台１の外形を四角形としているが、マウス置台１の外形は、図６(A)及び図６（Ｂ）に示すように、円形や楕円形としてもよい。その他、マウス置台１の外形の形状としては、各種のものが考えられる。
【００２６】
また、図７に示すように、マウス置台１の外形に意匠を施したり、マウス置台１に絵や図柄を描画したりすることが考えられる。このようにすれば、本考案が適用されたマウス置台１を、土産物やキャラクタ商品として販売することも可能である。
【００２７】
また、上述の例では、マウス置台１を机１１上に置いているが、マウス置台１の裏面に例えば接着剤を塗布し、机１１上にマウス置台１を接着するようにしてもよい。
【００２８】
また、本考案が適用されたマウス置台１に、各種の機能を一体化するようにしてもよい。例えば、図８に示すように、本考案が適用されたマウス置台１とマウスパッド２５とを一体化するようにしてもよい。
【００２９】
以上説明したように、本考案が適用されたマウス置台１は、摩擦係数が大きく、振動を吸収しやすい部材からなるベース部材２に、開口３を形成して構成されている。そして、ベース部材２上にマウス４を載置したときに、マウス４の動き検出機構の部分（ボール式のマウス４ａならボール２１の部分、光学式のマウス４ｂならマウス４の底部の発光穴２２の部分）が、開口３と対応する位置になる。このため、振動によるマウス４の動きが検出されなくなり、振動を受けやすい環境下でも、スタンバイ状態やスクリーンセーバーの動作状態を保持できる。
【００３０】
本考案は、上述の実施の形態に限定されるものではなく、上記実施の形態を適宜、組み合わせてもよく、本考案の要旨を逸脱しない範囲内で様々な変形や応用が可能である。
【図面の簡単な説明】
【００３１】
【図１】本考案が適用されたマウス置台の全体構成を示す斜視図である。
【図２】本考案が適用されたマウス置台を用いて構成したコンピュータの作業環境を示す斜視図である。
【図３】ボール式のマウスの底面図及びマウス置台の端面図である。
【図４】光学式のマウスの底面図及びマウス置台の端面図である。
【図５】本考案が適用されたマウス置台の変形例を示す平面図である。
【図６】本考案が適用されたマウス置台の変形例を示す平面図である。
【図７】本考案が適用されたマウス置台の変形例を示す平面図である。
【図８】本考案が適用されたマウス置台の変形例を示す平面図である。
【符号の説明】
【００３２】
１  マウス置台
２  ベース部材
３  開口
４  マウス
１１  机
１２  コンピュータ本体
１３  ディスプレイ
１４  キーボード
２１  ボール
２２  発光穴
２３  発光部
２５  マウスパッド
【図１】
0003102053.tif 000003
【図２】
0003102053.tif 000004
【図３】
0003102053.tif 000005
【図４】
0003102053.tif 000006
【図５】
0003102053.tif 000007
【図６】
0003102053.tif 000008
【図７】
0003102053.tif 000009
【図８】
0003102053.tif 000010